(57)【要約】  【課題】  医療品収納部に載置された医療品の種類と数を含む載置医療品情報を正確に且つ容易に作成して取得でき、医療品載置部への医療品の出し入れ作業を簡単化でき、構造を簡単化し製作コストを抑えることができる、医療品検出装置を提供する  【解決手段】  医療品収納庫２の各医療品収納棚１０に、所定のシート材に複数の感圧センサを一様に配置して組み込んだシートセンサ１１を敷き、そのシートセンサ１１に情報処理装置３を電気的且つ光学的に接続し、この情報処理装置３において、シートセンサ１１に載置予定の医療品４の種類と対応付けて、その載置予定の医療品４の複数の感圧センサによる検出パターンを予め設定して記憶し、シートセンサ１１から受ける検出情報と前記記憶された情報とに基づいて、シートセンサ１１に載置された医療品４の種類と数を含む載置医療品情報を作成する。【選択図】  図１
2006204473.tif 000002
【特許請求の範囲】
【請求項１】
医療品載置部と、
前記医療品載置部に敷かれたシートセンサであって、所定のシート材に複数の感圧センサを一様に配置して組み込んだシートセンサと、
前記シートセンサに電気的及び／又は光学的に接続される情報処理手段とを備え、
前記情報処理手段は、
前記シートセンサに載置予定の医療品の種類と対応付けて、その載置予定の医療品の複数の感圧センサによる検出パターンを予め設定して記憶した検出パターン記憶部と、
前記シートセンサから受ける検出情報と前記検出パターン記憶部に記憶された情報とに基づいて、前記シートセンサに載置された医療品の種類と数を含む載置医療品情報を作成する医療品情報作成部と、
を備えたことを特徴とする医療品検出装置。
【請求項２】
前記シートセンサの複数の感圧センサは発泡シート材にマトリックス状に配置され、各感圧センサは近接した１対の光ファイバの先端部の光出口と光入口を有することを特徴とする請求項１に記載の医療品検出装置。
【請求項３】
前記情報処理手段は、シートセンサ上の領域を区画した複数の医療品載置領域の各々に予め設定された載置予定の医療品の種類を記憶する載置医療品種類記憶部を備え、
前記医療品情報作成部は、更に、前記載置医療品種類記憶部に記憶された情報に基づいて、医療品載置領域別に載置医療品情報を作成することを特徴とする請求項１又は２に記載の医療品検出装置。
【請求項４】
前記情報処理手段は、前記複数の医療品載置領域の区画割りを変更可能に設定する医療品載置領域設定部を有することを特徴とする請求項３に記載の医療品検出装置。
【請求項５】
前記医療品載置部の近傍部に、前記載置医療品情報を表示するディスプレイを設けたことを特徴とする請求項１〜４の何れかに記載の医療品検出装置。
【請求項６】
前記医療品載置部が医療品収納棚であることを特徴とする請求項１〜５の何れかに記載の医療品検出装置。
【請求項７】
前記医療品載置部が医療品トレーであることを特徴とする請求項１〜５の何れかに記載の医療品検出装置。
【請求項８】
前記医療品トレーはトレー本体とトレー蓋とからなり、このトレー蓋に前記シートセンサを設けると共に、このトレー蓋を複数のトレー本体に対して共通の蓋に構成したことを特徴とする請求項７に記載の医療品検出装置。
【発明の詳細な説明】
【技術分野】
【０００１】
本発明は、医療品載置部に載置された医療品を、その医療品載置部に敷かれたシートセンサにより検出するようにした医療品検出装置に関するものである。
【背景技術】
【０００２】
従来、多種多様の薬品を取り扱う薬局では、使用する１又は複数の薬品を簡単に且つ確実に取り揃えできるように、一般に、薬品収納庫に複数種類の薬品を整理して収納しておき、この薬品収納庫から使用する薬品を取り出し、また、薬品収納庫に不足気味の薬品を補充する。そして、薬品収納庫に収納された薬品を管理するうえで、その薬品の種類と数（収納薬品情報）を正確に且つ容易に取得可能にしておくことが望ましく、この収納薬品情報の更新前と更新後の情報に基づいて、薬品収納庫から取り出して使用した薬品の種類と数、薬品収納庫に補充した薬品の種類と数を取得することも可能である。
【０００３】
しかし、薬品収納庫に収納された薬品の種類と数（載置医療品情報）を正確に且つ容易に取得可能にしておくためには、薬剤師（又は他のスタッフ）が、薬品収納庫への薬品の出し入れを行う度に、載置医療品情報を更新して記録することが要求され、こうした薬品の出し入れも頻繁に行われるため、非常に煩雑な作業が必要になる。そこで、薬品収納装置として、複数の薬品を夫々所定位置に収納する複数の薬品収納部と、薬品収納部に収納された薬品を検出するスイッチ等の検出センサと、薬品収納部に収納された薬品の取り出しを指示する指示ランプを設けたもの（例えば、特許文献１参照）が公知である。
【０００４】
この薬品収納装置では、薬品収納部毎に収納予定の薬品情報（薬品コード等）を予め設定し記憶させておき、この設定薬品情報と検出センサによる検出情報とに基づいて、自動的に、薬品収納部に収納された薬品の種類と数を算出することができる。他方、取り揃えた複数の薬品を纏めて調剤室等に搬送する場合に薬品トレーを用いることが多いが、医療事故を防止するためにも、先ずは、薬品トレーに載置すべき複数の薬品を間違いなく確実に載置することが重要である。
【特許文献１】特開２００２−１１０７２号公報
【発明の開示】
【発明が解決しようとする課題】
【０００５】
前記のように、薬品収納庫に収納された薬品の種類と数（収納薬品情報）を正確に且つ容易に取得可能にしておくためには、薬剤師等の非常に煩雑な作業が必要になる。また、取得した収納薬品情報は信頼性に欠け、この収納薬品情報の更新前と更新後の情報から得られる情報も、結局、信頼性に欠けるものとなる。その点、特許文献１のような薬品収納装置では改善される。しかし、薬品収納部の所定位置に薬品を収納しなければならないため、薬品の出し入れ作業が却って面倒であり、また、薬品収納装置の構造が複雑であり、既存の薬品収納庫への適用も困難であるため、製作コストが高価になる。
【０００６】
本発明の目的は、医療品収納部に載置された医療品の種類と数を含む載置医療品情報を正確に且つ容易に作成して取得でき、それでいて、医療品収納部の自由な位置に医療品を載置可能にして、医療品載置部への医療品の出し入れ作業を簡単化でき、しかも、構造を簡単化し、既存の医療品収納庫や医療品トレーにも適用可能にして、製作コストを抑えることができる、医療品検出装置を提供することである。
【課題を解決するための手段】
【０００７】
請求項１の医療品検出装置は、医療品載置部と、前記医療品載置部に敷かれたシートセンサであって、所定のシート材に複数の感圧センサを一様に配置して組み込んだシートセンサと、前記シートセンサに電気的及び／又は光学的に接続される情報処理手段とを備え、前記情報処理手段は、前記シートセンサに載置予定の医療品の種類と対応付けて、その載置予定の医療品の複数の感圧センサによる検出パターンを予め設定して記憶した検出パターン記憶部と、前記シートセンサから受ける検出情報と前記検出パターン記憶部に記憶された情報とに基づいて、前記シートセンサに載置された医療品の種類と数を含む載置医療品情報を作成する医療品情報作成部とを備えたことを特徴とする。
【０００８】
この医療品検出装置は、医療品載置部、シートセンサ、情報処理手段を備え、医療品載置部にシートセンサが敷かれている。シートセンサは所定のシート材に複数の感圧センサを一様に配置して組み込んだものであり、このシートセンサに電気的及び／又は光学的に情報処理手段が接続される。情報処理手段は、検出パターン記憶部、医療品情報作成部を備え、検出パターン記憶部には、シートセンサに載置予定の医療品の種類と対応付けて、その載置予定の医療品の複数の感圧センサによる検出パターンが予め設定されて記憶され、医療品情報作成部により、シートセンサから受ける検出情報と検出パターン記憶部に記憶された情報とに基づいて、シートセンサに載置された医療品の種類と数を含む載置医療品情報が作成される。
【０００９】
請求項１の発明においては、次の構成を採用可能である。
前記シートセンサの複数の感圧センサは発泡シート材にマトリックス状に配置され、各感圧センサは近接した１対の光ファイバの先端部の光出口と光入口を有する（請求項２）。前記情報処理手段は、シートセンサ上の領域を区画した複数の医療品載置領域の各々に予め設定された載置予定の医療品の種類を記憶する載置医療品種類記憶部を備え、前記医療品情報作成部は、更に、前記載置医療品種類記憶部に記憶された情報に基づいて、医療品載置領域別に載置医療品情報を作成する（請求項３）。
【００１０】
前記情報処理手段は、前記複数の医療品載置領域の区画割りを変更可能に設定する医療品載置領域設定部を有する（請求項４）。前記医療品載置部の近傍部に、前記載置医療品情報を表示するディスプレイを設ける（請求項５）。前記医療品載置部が医療品収納棚である（請求項６）。前記医療品載置部が医療品トレーである（請求項７）。前記医療品トレーはトレー本体とトレー蓋とからなり、このトレー蓋に前記シートセンサを設けると共に、このトレー蓋を複数のトレー本体に対して共通の蓋に構成する（請求項８）。
【発明の効果】
【００１１】
請求項１の医療品検出装置によれば、医療品載置部に、所定のシート材に複数の感圧センサを一様に配置して組み込んだシートセンサを敷き、そのシートセンサに電気的及び／又は光学的に情報処理手段を接続し、この情報処理手段において、検出パターン記憶部に、シートセンサに載置予定の医療品の種類と対応付けて、その載置予定の医療品の複数の感圧センサによる検出パターンを予め設定して記憶し、医療品情報作成部により、シートセンサから受ける検出情報と検出パターン記憶部に記憶された情報とに基づいて、シートセンサに載置された医療品の種類と数を含む載置医療品情報を作成する。
【００１２】
つまり、医療品載置部に載置された医療品の種類と数を含む載置医療品情報を自動的に正確且つ容易に作成して取得でき、それでいて、医療品収納部に医療品を位置決めすることなく自由に載置できるため、医療品載置部への医療品の出し入れ作業を簡単化できる。ここで、この載置医療品情報の更新前と更新後の情報に基づいて、医療品載置部から取り出して使用した医療品の種類と数、医療品載置部に補充した医療品の種類と数等を算出して取得し、こうした情報を、プリンタにより帳票として出力し、また、情報処理手段に接続された他の情報処理手段に出力することもできる。しかも、医療品載置部にシートセンサを敷き、情報処理手段を設けてシートセンサに接続する、という簡単な構造になるため、既存の医療品収納庫への適用も可能となり、製作コストを抑えることができる。
【００１３】
請求項２の医療品検出装置によれば、シートセンサの複数の感圧センサを発泡シート材にマトリックス状に配置し、各感圧センサは近接した１対の光ファイバの先端部の光出口と光入口を有するので、シートセンサの自由な位置に医療品を載置して、発泡シート材の圧縮を光学的に確実に検出し、その医療品の載置医療品情報を確実に作成できる。
【００１４】
請求項３の医療品検出装置によれば、情報処理手段は、シートセンサ上の領域を区画した複数の医療品載置領域の各々に予め設定された載置予定の医療品の種類を記憶する載置医療品種類記憶部を備え、医療品情報作成部は、更に、載置医療品種類記憶部に記憶された情報に基づいて、医療品載置領域別に載置医療品情報を作成するので、区画された各医療品載置領域に載置された医療品の載置医療品情報を確実に作成でき、しかも、シートセンサに載置予定の医療品として、種類は異なるが同一（類似）の検出パターンとなる複数の医療品が存在する場合、これら医療品を異なる複数の医療品載置領域に夫々載置させ、その各医療品載置領域に対して、同一の検出パターンとなる複数の医療品については載置予定の１つの医療品のみの種類を記憶させておくことで、同一の検出パターンとなる複数の医療品の夫々の種類を間違いなく検出できる。
【００１５】
請求項４の医療品検出装置によれば、情報処理手段は、複数の医療品載置領域の区画割りを変更可能に設定する医療品載置領域設定部を有するので、シートセンサに載置予定の医療品の大きさ、数、種類、使用頻度、等々に応じて、複数の医療品載置領域の区画割りを自由に変更設定して、使い勝手をよくすることができる。
【００１６】
請求項５の医療品検出装置によれば、医療品載置部の近傍部に、載置医療品情報を表示するディスプレイを設けたので、医療品載置部に載置された医療品の医療品載置情報を容易に知ることができる。
【００１７】
請求項６の医療品検出装置によれば、医療品載置部が医療品収納棚であるので、医療品収納棚、医療品収納棚に載置された医療品に対して、請求項１〜５の効果が得られる。
【００１８】
請求項７の医療品検出装置によれば、医療品載置部が医療品トレーであるので、医療品トレー、医療品トレーに載置された医療品に対して、請求項１〜５の効果が得られるが、更に、複数の医療品を纏めて調剤室等に搬送する場合にこの医療品トレーを用いることで、この医療品トレーに載置すべき医療品を間違いなく確実に載置することができ、これにより、医療事故を極力防止することも可能になる。
【００１９】
請求項８の医療品検出装置によれば、医療品トレーはトレー本体とトレー蓋とからなり、このトレー蓋にシートセンサを設けると共に、このトレー蓋を複数のトレー本体に対して共通の蓋に構成したので、トレー蓋に医療品を載置して、その医療品の種類と数を含む載置医療品情報を作成し、その載置医療品情報を取得したうえで、トレー蓋とトレー本体を重ね合わせ反転させて、医療品をトレー蓋からトレー本体に移し替て搬送することができる。トレー本体を消毒が必要な手術室等へ持ち運ぶ場合でも、トレー本体を容易に消毒でき、トレー蓋については複数のトレー本体に共通化してコスト面で有利になる。
【発明を実施するための最良の形態】
【００２０】
本発明の医療品検出装置は、医療品載置部と、医療品載置部に敷かれたシートセンサであって所定のシート材に複数の感圧センサを一様に配置して組み込んだシートセンサと、シートセンサに電気的及び／又は光学的に接続される情報処理手段を備えたものである。
【実施例１】
【００２１】
図１、図２に示すように、医療品検出装置１は、複数の医療品収納庫２と、複数の医療品収納庫２に電気的に接続された情報処理装置３を備えている。
各医療品収納庫２は、複数（例えば、３つ（３段））の医療品収納棚１０（医療品載置部）と、複数の医療品収納棚１０に夫々敷かれた複数（例えば、３つ）のシートセンサ１１と、側壁２ａに組み込まれたセンサ装置１２を備え、センサ装置１２に複数のシートセンサ１１が夫々光学的に接続され、このセンサ装置１２が情報処理装置３に電気的に接続されている。
【００２２】
尚、図１において、４ａ，４ｂは薬剤をバイアルに収容した薬品であり、４ｃ，４ｄはバイアルに薬剤を収容した複数の薬品を収納した薬品箱である。以下、これら４ａ〜４ｄ等を医療品４として説明する。但し、医療品４としては、その他、薬剤をアンプルに収容した薬品、アンプルに薬剤を収容した複数の薬品を収納した薬品箱、その他の種々の薬品や薬品箱、薬品以外の種々の医療材料や医療材料箱、等々がある。
【００２３】
情報処理装置３は、コンピュータ２０ａ、ハードディスク２０ｂ、ＣＤドライブ２０ｃ、ＦＤドライブ２０ｄを備え、この情報処理装置３に、キーボード２１、マウス２２、バーコードリーダ２３、ディスプレイ２４、プリンタ２５が接続されている。
【００２４】
図３〜図５に示すように、各医療品収納庫２の各医療品収納棚１０に敷かれたシートセンサ１１は、平面視にて医療品収納棚１０と同形同サイズの所定のシート材３０を有し、そのシート材３０に複数の感圧センサ３１を一様に配置して組み込んだものである。シート材３０は、合成樹脂製のシート基材３０ａと、発泡ウレタン製の発泡シート材３０ｂと、可撓性の有る合成樹脂製のシート表皮材３０ｃを有し、それら３０ａ〜３０ｃを積層して構成されて、シート基材３０ａが医療品収納棚１０の上面に接着されている。
【００２５】
各シートセンサ１１の複数の感圧センサ３１は、例えば、隣り合う感圧センサ３１間の距離を５mm〜１０mmとして、シート材３０の発泡シート材３０ｂに矩形マトリックス状に配置されている。各感圧センサ３１は、発泡シート材３０ｂに埋め込まれた状態で配置され、近接した１対の光ファイバ３２，３３の先端部の光出口３２ａと光入口３３ａを有し、複数の感圧センサ３１に対応する複数対の光ファイバ３２，３３はシート材３０に沿って配線されて、センサ装置１２に光学的に接続されている。
【００２６】
センサ装置１２には、複数の光ファイバ３２に光を供給するＬＥＤ等の発光部（図示略）と、複数の光ファイバ３３からの光を夫々受光しその光量に応じた値の電流を発生させる複数のフォトダイオードを有する受光部（図示略）が設けられている。センサ装置１２では、シート材３０（発泡シート材３０ｂ）の圧縮状態によって光入口３３ａに入る光量が変化し、受光部が各光ファイバ３２から受ける光量（に応じてフォトダイオードが発生させた電流値）に基づいて、シートセンサ１１に載置された医療品４を検出した複数の感圧センサ３１のセンサ配列形状、更には、その医療品４の積載荷重を算出して検出でき、この検出情報が情報処理装置３に出力される。
【００２７】
図６に示すように、情報処理装置３のハードディスク２０ｂ（検出パターン記憶部）には、シートセンサ１１に載置予定の複数種類の医療品４について、その医療品４の種類（医療品コード）と対応付けて、その載置予定の医療品４の複数の感圧センサ３１による検出パターンが予め設定されて記憶されている。この検出パターンの設定、記憶については、例えば、試験的に前もって、載置予定の医療品４の種類を入力すると共に、その医療品４をシートセンサ１１に載置して得られる複数の感圧センサ３１による検出パターンを入力して行うことができる。
【００２８】
前記検出パターンは、シートセンサ１１に載置予定の医療品４に対応する複数の感圧センサ３１のセンサ配列形状、更には、その載置予定の医療品４の積載荷重を含んだ情報である。例えば、図７−１〜図７−４は、シートセンサ１１に載置予定の４種類の医療品４の検出パターンを示し、これら検出パターンが、夫々の医療品４の種類と対応付けてハードディスク２０ｂに記憶されている。尚、実施例１では、シートセンサ１１に載置予定の複数種類の医療品４の検出パターンは全て異なるものとする。
【００２９】
情報処理装置３のコンピュータ２０ａ（医療品情報作成部）は、シートセンサ１１から受ける検出情報とハードディスク２０ｂに記憶された情報（検出パターン）とに基づいて、そのシートセンサ１１に載置された医療品４の種類と数を含む載置医療品情報を作成し、その載置医療品情報をハードディスク２０ｂに記憶する。
【００３０】
ここで、図８に示すように、ハードディスク２０ｂには、情報処理装置３に接続された複数の医療品収納庫２に対応する複数の医療品収納庫番号、各医療品収納庫番号の医療品収納庫２に設けられた複数の医療品収納棚１０に対応する複数の医療品収納棚番号、各医療品収納棚番号の医療品収納棚１０に載置された医療品４の種類と数を含む載置医療品情報が記憶されている。ところで、載置医療品情報として、ハードディスク２０ｂに収納箱の数と種類が記憶されている場合、その収納箱に収納されている医療品の種類はわかり、また、その収納箱の積載荷重と、収納されている医療品の検出パターンに含まれる積載荷重とに基づいて、収納されている医療品の数を算出できる。
【００３１】
次に、情報処理装置３のコンピュータ２０ａが実行する処理について、図９のフローチャート（Ｓｉ（ｉ＝１、２、３・・・）は各ステップを示す）に基づいて説明する。
この処理が開始されると、先ず、情報処理装置３に接続される医療品収納庫２の数や種類が変更された場合、所定操作を行うことにより、或いは、自動的に、医療品収納庫番号、医療品収納棚番号の設定変更有り（Ｓ１；Yes ）となって、Ｓ２において、その設定変更の為の処理が実行可能になり、変更された情報はハードディスク２０ｂに記憶される。
【００３２】
次に、Ｓ１；Noの場合又はＳ２の後、シートセンサ１１に載置予定の医療品４を新たに追加する場合等、所定操作を行うことにより、検出パターンの設定有り（Ｓ３；Yes ）となって、Ｓ４において、その設定の為の処理が実行可能になり、新たな医療品４の検出パターンは、その医療品４の種類（医療品コード）と対応付けてハードディスク２０ｂに記憶される。次に、Ｓ３；Noの場合又はＳ４の後、載置医療品情報の更新契機であるか否か判定され（Ｓ５）、このＳ５移行のステップは各医療品収納庫２の各医療品収納棚１０に対して行われる。
【００３３】
ここで、この載置医療品情報の更新契機は、例えば、医療品収納棚１０から医療品４が取出された或いは医療品収納棚１０に医療品４が取入れられたときであり、このコンピュータ２０ａが受けるシートセンサ１１からの検出情報の変化に基づいて決定される。そして、Ｓ５；Noの場合はリターンし、Ｓ５；Yes の場合はＳ６以降が実行される。
【００３４】
ところで、Ｓ５以降のステップはシートセンサ１１が作動していることで実行可能となるが、逆に言うと、Ｓ５以降が実行されないときには、シートセンサ１１を作動停止させて省電力化を図ることができる。そのために、例えば、医療品出入許可スイッチ（図示略）を設け、Ｓ５の前に「医療品出入許可スイッチ；オン？」のステップを設け、医療品出入許可スイッチがオンの場合には、シートセンサ１１を作動させてＳ５へ移行し、オフの場合には、シートセンサ１１を作動停止させてリターンするようにしてもよい。ここで、医療品収納庫２に開閉扉が付いている場合には、その開閉扉の開閉に連動して、前記医療品出入許可スイッチがオンオフするように構成してもよい。
【００３５】
載置医療品情報の更新契機である場合（Ｓ５；Yes ）、医療品収納棚１０に敷かれたシートセンサ１１から受ける検出情報が読み込まれ（Ｓ６）、そのシートセンサ１１に載置された１又は複数の医療品４の実検出パターン（シートセンサ１１に載置された医療品４を検出した複数の感圧センサ３１のセンサ配列形状と、その医療品４の積載荷重を含む情報）が作成され（Ｓ７）、次に、各実検出パターンに対応する検出パターンが、ハードディスク２０ｂに記憶された複数種類の検出パターンの中から検索される（Ｓ８）。
【００３６】
ここで、各実検出パターンのセンサ配列形状を適宜回動させて、そのセンサ配列形状が一致する、ハードディスク２０ｂに記憶された検出パターンを検索する。但し、シートセンサ１１による検出誤差等により、載置した医療品４に対応する検出パターンがハードディスク２０ｂに記憶されているにも関わらず、実検出パターンのセンサ配列形状がハードディスク２０ｂに記憶された何れの検出パターンのセンサ配列形状とも完全に一致しない場合が想定される。そこで、実検出パターンのセンサ配列形状に所定の補正処理を施して、実検出パターンと一致する検出パターンをハードディスク２０ｂに記憶された検出パターンから検索可能に構成してある。
【００３７】
尚、一致する検出パターンを検索できない場合には、エラー処理が施されその旨報知されるようになっている。全ての実検出パターンについてＳ８の処理を行うと、この医療品収納棚１０に載置されている医療品４の種類と数がわかり、その医療品４の種類と数を含む載置医療品情報が作成され（Ｓ９）、その載置医療品情報が、ハードディスク２０ｂにおいて、この医療品収納棚１０に対応する医療品収納庫番号と医療品収納棚番号に対応付けて更新され（Ｓ１０）、終了する。
【００３８】
この医療品検出装置１によれば、次の効果を奏する。
各医療品収納庫２の各医療品載置棚１０に、所定のシート材３０に複数の感圧センサ３１を一様に配置して組み込んだシートセンサ１１を敷き、そのシートセンサ１１に電気的、光学的に情報処理装置３を接続し、この情報処理装置３において、ハードディスク２０ｂに、シートセンサ１１に載置予定の医療品４の種類と対応付けて、その載置予定の医療品４の複数の感圧センサ３１による検出パターンを予め設定して記憶し、コンピュータ２０ａにより、シートセンサ１１から受ける検出情報とハードディスク２０ｂに記憶された情報とに基づいて、シートセンサ１１に載置された医療品４の種類と数を含む載置医療品情報を作成する。
【００３９】
つまり、医療品載置棚１０に載置された医療品４の種類と数を含む載置医療品情報を自動的に正確且つ容易に作成して取得でき、それでいて、医療品収納棚１０に医療品４を位置決めすることなく自由に載置できるため、医療品載置棚１０への医療品４の出し入れ作業を簡単化できる。ここで、この載置医療品情報の更新前と更新後の情報に基づいて、医療品載置棚１０から取り出して使用した医療品４の種類と数、医療品載置棚１０に補充した医療品４の種類と数等を算出して取得し、こうした情報を、プリンタ２５により帳票２６（図１参照）として出力し、また、情報処理装置３に接続された他の情報処理装置（図示略）に出力することもできる。
【００４０】
具体的に、各患者に使用する各回の医療品４を医療品載置棚１０から取り出す毎に載置医療品情報の更新を行い、その更新前後の載置医療品情報に基づいて、各患者に使用した各回の医療品４の種類と数を算出して取得することができる。また、定期的に置医療品情報の更新を行うようにすることもできる。しかも、医療品載置棚１０にシートセンサ１１を敷き、情報処理装置３を設けてシートセンサ１１に接続する、という簡単な構造になるため、既存の医療品収納庫への適用も可能となり、製作コストを抑えることができる。
【００４１】
シートセンサ１１の複数の感圧センサ３１をシート材３０の発泡シート材３０ｂにマトリックス状に配置し、各感圧センサ３１は近接した１対の光ファイバ３２，３３の先端部の光出口３２ａと光入口３３ａを有するので、シートセンサ１１の自由な位置に医療品４を載置して、発泡シート材３０ｂの圧縮を光学的に確実に検出し、その医療品４の載置医療品情報を確実に作成することができる。
【００４２】
次に、前記医療品検出装置１の変形例について説明する。尚、前記と基本的に同じものには同一符号を付して説明を省略する。
１］図１０−１、図１０−２に示すように、シートセンサ１１上の領域が、複数の医療品載置領域４０（図１０−１では医療品載置領域４０Ａ，４０Ｂ、図１０−１では医療品載置領域４０Ｃ〜４０Ｅ）に区画され、情報処理装置３において、ハードディスク２０ｂに、その区画割りの情報として、例えば、複数の医療品載置領域４０の医療品載置領域番号と、各医療品載置領域番号に対応付けてその医療品載置領域４０に位置する複数の感圧センサ３１の感圧センサ番号が記憶されている。
【００４３】
また、情報処理装置３において、図１１に示すように、ハードディスク２０ｂ（載置医療品種類記憶部）に、シートセンサ１１上の領域を区画した複数の医療品載置領域４０の各々に予め設定された載置予定の医療品４の種類が記憶されている。そして、コンピュータ２０ａ（医療品情報作成部）は、更に、このハードディスク２０ｂに記憶された情報に基づいて、医療品載置領域別に載置医療品情報を作成し、図１２に示すように、その載置医療品情報を医療品載置領域別にハードディスク２０ｂに記憶する。
【００４４】
こうして、区画された各医療品載置領域４０に載置された医療品４の載置医療品情報を確実に作成でき、しかも、シートセンサ１１に載置予定の医療品４として、種類は異なるが同一（類似）の検出パターンとなる複数の医療品４が存在する場合、これら医療品４を異なる複数の医療品載置領域４０に夫々載置させ、その各医療品載置領域４０に対して、同一の検出パターンとなる複数の医療品４については１つの医療品４のみの種類を記憶させておくことで、同一の検出パターンとなる複数の医療品４の夫々の種類を間違いなく検出することができる。
【００４５】
２］前記１］の場合、情報処理装置３により、複数の医療品載置領域４０の区画割りを変更可能（例えば、図１０−１の区画割りと図１０−２の区画割りの一方から他方へ変更可能）に設定できるように構成する。つまり、シートセンサ１１に載置予定の医療品４の大きさ、数、種類、使用頻度、等々に応じて、複数の医療品載置領域４０の区画割りを自由に変更設定して、使い勝手をよくすることができる。
【００４６】
３］図１３に示すように、シートセンサ１１上の領域を仕切る仕切部材４１が設けられている。仕切部材４１は医療品収納棚１０に位置可変に着脱自在に装着され、仕切り位置を変更することができる。前記２］のように、シートセンサ１１上の領域を区画した複数の医療品載置領域４０に合わせて仕切部材４１を装着するようにして、各医療品載置領域４０中に医療品４を確実に載置することが可能になる。その仕切部材４１の装着をガイドするために、前記区画割りの情報に基づいて、仕切部材４１の装着位置を指示する手段（例えば、指示ランプ等）を設けてもよい。
【００４７】
４］図１４に示すように、各医療品載置棚１０の近傍部（例えば、各医療品載置棚１０の前面部）に、その医療品載置棚１０に載置された医療品４の載置医療品情報を表示するディスプレイ４２を設ける。これにより、各医療品載置棚１０に載置された医療品４の医療品載置情報を容易に知ることができる。尚、前記２］３］のように、シートセンサ１１上の領域を複数の医療品載置領域４０に区画する場合、医療品載置領域４０毎に載置された医療品４の医療品載置情報をディスプレイ４２に表示するようにしてもよい。この場合、医療品載置領域４０毎に対応するディスプレイ４２を設け得るように構成してもよい。
【実施例２】
【００４８】
図１５、図１６に示すように、医療品検出装置１Ａは、複数の医療品トレー５０と、複数の医療品トレー５０に電気的に分離可能に接続される情報処理装置３を備え、情報処理装置３に、キーボード２１、マウス２２、バーコードリーダ２３、ディスプレイ２４、プリンタ２５が接続され、情報処理装置３、キーボード２１、マウス２２、バーコードリーダ２３、ディスプレイ２４、プリンタ２５は、基本的に実施例１と同じものである。
【００４９】
各医療品トレー５０は、底板部５０ａ及び側板部５０ｂと、底板部５０ａに敷かれたシートセンサ５１と、例えば側板部５０ｂに組み込まれたセンサ装置５２を備え、センサ装置５２にシートセンサ５１が光学的に接続されている。側板部５０ｂに形成された端子差込口５０ｃに、情報処理装置３から延びる接続コード５７の端子５７ａが差し込まれて、センサ装置５２が情報処理装置３に電気的に接続される。
【００５０】
シートセンサ５１は、平面視にて医療品トレー５０の底板部５０ａと同形同サイズの所定のシート材５３を有し、そのシート材５３に複数の感圧センサ５４を一様に配置して組み込んだものであり、その基本的な構成は実施例１のシートセンサ１１と同じである。また、医療品トレー５０の底板部５０ａ上には複数の仕切部材５５が装着されており、これら仕切部材５５と側板部５０ｂにより、シートセンサ５１上の領域が複数の医療品載置領域６０（６０Ａ〜６０Ｅ）に区画されている。
【００５１】
情報処理装置３において、ハードディスク２０ｂ（検出パターン記憶部）には、図６に示すように、シートセンサ５１に載置予定の医療品４の種類（医療品コード）と対応付けて、その載置予定の医療品４の複数の感圧センサ３１による検出パターンが予め設定されて記憶されている。そして、コンピュータ２０ａ（医療品情報作成部）は、シートセンサ５１から受ける検出情報とハードディスク２０ｂに記憶された情報（検出パターン）とに基づいて、そのシートセンサ５１に載置された医療品４の種類と数を含む載置医療品情報を作成し、その載置医療品情報をハードディスク２０ｂに記憶する。
【００５２】
ここで、コンピュータ２０ａは、更に、シートセンサ５１に載置された医療品４の種類と数を含む載置医療品情報を医療品載置領域別に作成し、図１７に示すように、ハードディスク２０ｂには、複数の医療品トレー５０に対応する複数の医療品トレー番号、各医療品トレー番号の医療品トレー５０に設けられた複数の医療載置領域６０に対応する複数の医療品載置領域番号、各医療品載置領域番号の医療品載置領域６０に載置された医療品４の種類と数を含む載置医療品情報が記憶されている。
【００５３】
この医療品検出装置１Ａによれば、次の効果を奏する。
各医療品トレー５０に、所定のシート材５３に複数の感圧センサ５４を一様に配置して組み込んだシートセンサ５１を敷き、そのシートセンサ５１に電気的、光学的に情報処理装置３を接続し、この情報処理装置３において、ハードディスク２０ｂに、シートセンサ４１に載置予定の医療品４の種類と対応付けて、その載置予定の医療品４の複数の感圧センサ５４による検出パターンを予め設定して記憶し、コンピュータ２０ａにより、シートセンサ５１から受ける検出情報とハードディスク２０ｂに記憶された情報とに基づいて、シートセンサ５１に載置された医療品４の種類と数を含む載置医療品情報を作成する。
【００５４】
つまり、医療品トレー５０に載置された医療品４の種類と数を含む載置医療品情報を自動的に正確且つ容易に作成して取得できる。特に、複数の医療品４を纏めて調剤室等に搬送する場合にこの医療品トレー５０を用いることで、この医療品トレー５０に載置すべき医療品４を間違いなく確実に載置することができ、これにより、医療事故を極力防止することも可能になる。また、実施例１同様に、各患者に使用した各回の医療品４の種類と数を算出して取得することができる。
【００５５】
次に、前記医療品検出装置１Ａの変形例について説明する。尚、前記と同じものには同一符号を付して、説明を省略する。
１］実施例１と同様、情報処理装置３により、複数の医療品載置領域６０の区画割りを変更可能に設定できるようにし、これに応じて、仕切部材５５の装着位置を変更できるように構成する。つまり、シートセンサ５１に載置予定の医療品４の大きさ、数、種類、使用頻度、等々に応じて、複数の医療品載置領域６０の区画割りを自由に変更設定して、使い勝手をよくすることができる。
【００５６】
２］図１８に示すように、医療品トレー５０の各医療品載置領域６０の近傍部（例えば、仕切部材５５や側板部５０ｂの上面部）に、各医療品載置領域６０に載置された医療品４の載置医療品情報を表示するディスプレイ６５を設ける。これにより、各医療品載置領域６０に載置された医療品４の医療品載置情報を容易に知ることができる。ここで、センサ装置５２にディスプレイ制御機能を設けておくことにより、医療品トレー５０から接続コード５７を取り外した状態、つまり、医療品トレー５０を持ち運び可能な状態で、ディスプレイ６５に医療品載置情報を表示させることができる。
【００５７】
３］図１９に示すように、医療品トレー５０Ａはトレー本体７０とトレー蓋７１とからなり、このトレー蓋７１にシートセンサ５１を設けると共に、このトレー蓋７１を複数のトレー本体７０に対して共通の蓋に構成する。トレー蓋７１は前記医療品トレー５０と同様の構成である。トレー蓋７１に医療品４を載置して、その医療品４の種類と数を含む載置医療品情報を作成し、その載置医療品情報を取得したうえで、トレー蓋７１とトレー本体７０を重ね合わせ反転させて、医療品４をトレー蓋７１からトレー本体７０に移し替て搬送できる。トレー本体７０を消毒が必要な手術室等へ持ち運ぶ場合でも、トレー本体７０を容易に消毒でき、トレー蓋７１については複数のトレー本体７０に共通化してコスト面で有利になる。
【００５８】
その他、実施例１、２において可能な変更について説明する。
１］ハードディスク２０ｂに記憶される種々の情報を、ハードディスク２０ｂ以外の種々の記憶装置に記憶させてもよい。
２］センサ装置１２，５２の機能を情報処理装置３に持たせて、センサ装置１２，５２を省略し、シートセンサ１１，５１と情報処理装置３を光学的に直接接続してもよい。
３］逆に、情報処理装置３の機能をセンサ装置１２，５２に持たせる。この場合、センサ装置１２，５２が情報処理手段に相当する。
【００５９】
４］薬品収納庫２として種々の構造のものを適用可能である。例えば、その底部を１つの棚にもつ薬品収納庫を適用してもよい。また、医療品トレー５０，５０Ａについても、種々の構造のものを適用可能である。
５］シートセンサ１１，５１を省略し、その代わりに、複数の歪みセンサからなる感圧センサを有するシートセンサを設けてもよい。この場合、そのシート材をクッション製のあるもの以外の材料で構成してもよい。
６］その他、前記開示事項以外に種々の変更を付加して実施することが可能である。
【図面の簡単な説明】
【００６０】
【図１】実施例１の医療品検出装置の構成図である。
【図２】実施例１の医療品検出装置のブロック図である。
【図３】シートセンサの平面図である。
【図４】シートセンサの要部の断面図である。
【図５】シートセンサの医療品載置時の要部の断面図である。
【図６】検出パターンの情報を示す図である。
【図７−１】検出パターンを示す図である。
【図７−２】検出パターンを示す図である。
【図７−３】検出パターンを示す図である。
【図７−４】検出パターンを示す図である。
【図８】載置医療品情報等を示す図である。
【図９】情報処理装置が実行する処理のフローチャートである。
【図１０−１】変形例のシートセンサの区画された領域を示す平面図である。
【図１０−２】変形例のシートセンサの区画された領域を示す平面図である。
【図１１】変形例の載置予定の医療品の種類等の情報を示す図である。
【図１２】変形例の載置医療品情報等を示す図である。
【図１３】変形例の医療品収納庫の斜視図である。
【図１４】変形例の医療品収納庫の斜視図である。
【図１５】実施例２の医療品検出装置の医療品トレーの斜視図である。
【図１６】医療品検出装置の構成図である。
【図１７】載置医療品情報等を示す図である。
【図１８】変形例の医療品トレーの斜視図である。
【図１９】変形例の医療品トレーの斜視図である。
【符号の説明】
【００６１】
１，１Ａ  医療品検出装置
２  医療品収納庫
３  情報処理装置
１０  医療品収納棚
１１，５１  シートセンサ
３０  シート材
３０ｂ  発泡シート材
３１，５４  感圧センサ
３２，３３  光ファイバ
３２ａ  光出口
３３ａ  光入口
４０，６０  医療品載置領域
４２，６５  ディスプレイ
５０，５０Ａ  医療品トレー
７０  トレー本体
７１  トレー蓋
【図１】
2006204473.tif 000003
【図２】
2006204473.tif 000004
【図３】
2006204473.tif 000005
【図４】
2006204473.tif 000006
【図５】
2006204473.tif 000007
【図６】
2006204473.tif 000008
【図７−１】
2006204473.tif 000009
【図７−２】
2006204473.tif 000010
【図７−３】
2006204473.tif 000011
【図７−４】
2006204473.tif 000012
【図８】
2006204473.tif 000013
【図９】
2006204473.tif 000014
【図１０−１】
2006204473.tif 000015
【図１０−２】
2006204473.tif 000016
【図１１】
2006204473.tif 000017
【図１２】
2006204473.tif 000018
【図１３】
2006204473.tif 000019
【図１４】
2006204473.tif 000020
【図１５】
2006204473.tif 000021
【図１６】
2006204473.tif 000022
【図１７】
2006204473.tif 000023
【図１８】
2006204473.tif 000024
【図１９】
2006204473.tif 000025